(57)【要約】  【課題】  孵化槽への給水量が少なくても卵膜軟化症の発生と水性菌の発生及び繁殖を抑制する。  【解決手段】  多数の種卵Ｃが積み重なって収納される孵化槽Ｂの内部に、ほぼ一定な速度で移動する水中動体１を配設し、この水中動体１の移動で孵化槽Ｂ内の種卵Ｃの全てを強制的に動かして、これら種卵Ｃの相対位置を並び替えて夫々の間に給水路Ｗを形成することにより、夫々の給水路Ｗを通って各種卵Ｃに新鮮な水が供給されると共に、死卵から良卵を引き離してカビ状に繁殖した水生菌Ｃ１が断ち切られる。即ち水生菌Ｃ１の転移が抑制される。。  【選択図】      図１
2005253314.tif 000002
【特許請求の範囲】
【請求項１】
多数の種卵（Ｃ）が積み重なって収納される孵化槽（Ｂ）の内部に、ほぼ一定な速度で移動する水中動体（１）を配設し、この水中動体（１）の移動により孵化槽（Ｂ）内の種卵（Ｃ）の全てを強制的に動かして、これら種卵（Ｃ）の相対位置を並び替えて夫々の間に給水路（Ｗ）を形成することを特徴とする孵化誘導装置。
【請求項２】
前記水中動体（１）に羽根（１ｂ）を突設し、この羽根（１ｂ）を低速で連続的に回転移動させる請求項１記載の孵化誘導装置。
【請求項３】
前記水中動体（１）を上下方向へ延びる形状に形成し、孵化槽（Ｂ）の上方開口面（Ｂ１）から挿入して横方向へ移動させる請求項１または２記載の孵化誘導装置。
【発明の詳細な説明】
【技術分野】
【０００１】
本発明は、例えば鮭や鱒などの受精された種卵（魚卵）を孵化前まで養成する孵化槽に装着されるか又は一体的に配備される孵化誘導装置に関する。
詳しくは、孵化期間中における水生菌（綿状菌）と卵膜軟化症の発生を抑制するに好適な孵化誘導装置に関する。
【背景技術】
【０００２】
従来、この種の孵化誘導装置として、孵化槽内における排水口の水位レベルより給水側の水位レベルを高く配置することで、孵化槽内への給水量を増量して強制流水させ、それにより、湧昇水流が勢いよく強制的に種卵の間を通過して、酸素供給量の増大を図り、水性菌や卵膜軟化症の発生を低減すると共に、この排水口の水位レベルを超えない位置に孵化槽の上方開口面を閉止する蓋体状の種卵浮遊防止網を設けることで、孵化槽内への給水量が増量されても、種卵の舞い上がりや浮遊流出を防止するものがある（例えば、特許文献１参照）。
【０００３】
【特許文献１】実用新案登録第２５５１２４２号公報（第２−３頁、図１−図４）
【発明の開示】
【発明が解決しようとする課題】
【０００４】
しかし乍ら、このような従来の孵化誘導装置では、孵化槽内への給水量を強制流水させるため、何層にも積み重なって収容された種卵が全体的に種卵浮遊防止網へ向け押圧され、特に種卵浮遊防止網と近い上層の種卵は、種卵浮遊防止網と下層の種卵との間に挟まれて上下方向へ押し潰され、この圧縮変形が長時間に亘って連続することが原因で、奇形な稚魚が孵化する確率が高いと共に養魚期の死亡率が高くなるという問題があった。
更に、湧昇水流を勢いよく強制的に種卵間を通過させるには、多量の水が供給し続ける必要があるため、水の確保が困難な場所には設置できず、設置場所が水が豊富な場所に限られてしまうという問題もあった。
【０００５】
本発明のうち請求項１記載の発明は、孵化槽への給水量が少なくても卵膜軟化症の発生と水性菌の発生及び繁殖を抑制することを目的としたものである。
請求項２記載の発明は、請求項１に記載の発明の目的に加えて、水中動体の移動構造を簡素化しながら該移動による種卵への悪影響を最低限度まで抑えることを目的としたものである。
請求項３記載の発明は、請求項１または２に記載の発明の目的に加えて、既設の孵化槽にも容易に設置可能にすることを目的としたものである。
【課題を解決するための手段】
【０００６】
前述した目的を達成するために、本発明のうち請求項１記載の発明は、多数の種卵が積み重なって収納される孵化槽の内部に、ほぼ一定な速度で移動する水中動体を配設し、この水中動体の移動により孵化槽内の種卵の全てを強制的に動かして、これら種卵の相対位置を並び替えて夫々の間に給水路を形成することを特徴とするものである。
請求項２記載の発明は、請求項１記載の発明の構成に、前記水中動体に羽根を突設し、この羽根を低速で連続的に回転移動させる構成を加えたことを特徴とする。
請求項３記載の発明は、請求項１または２記載の発明の構成に、前記水中動体を上下方向へ延びる形状に形成し、孵化槽の上方開口面から挿入して横方向へ移動させる構成を加えたことを特徴とする。
【発明の効果】
【０００７】
本発明のうち請求項１記載の発明は、多数の種卵が積み重なって収納される孵化槽の内部に、ほぼ一定な速度で移動する水中動体を配設し、この水中動体の移動で孵化槽内の種卵の全てを強制的に動かして、これら種卵の相対位置を並び替えて夫々の間に給水路を形成することにより、夫々の給水路を通って各種卵に新鮮な水が供給されると共に、死卵から良卵を引き離してカビ状に繁殖した水生菌が断ち切られる。
従って、孵化槽への給水量が少なくても卵膜軟化症の発生と水性菌の発生及び繁殖を抑制することができる。
その結果、孵化槽内への給水量を強制流水させる従来のものに比べ、種卵が長時間に亘って押圧変形しないから、奇形な稚魚が孵化する確率及び養魚期の死亡率を大幅に低減できると共に、給水量が大幅に低減されるから、水の確保が困難な場所でも設置可能となり設置場所が限定されない。
【０００８】
請求項２の発明は、請求項１の発明の効果に加えて、水中動体に突設した羽根を低速で連続的に回転移動させることにより、種卵の動きがゆっくりとした規則正しい連続運動となる。
従って、水中動体の移動構造を簡素化しながら該移動による種卵への悪影響を最低限度まで抑えることができる。
その結果、低コストで奇形の発生を防止できる。
【０００９】
請求項３の発明は、請求項１または２の発明の効果に加えて、水中動体を上下方向へ延びる形状に形成し、孵化槽の上方開口面から挿入して横方向へ移動させる構造とすることにより、孵化槽の上面が開口していれば、その上方開口面を利用して水中動体の後付け設置が可能となる。
従って、既設の孵化槽にも容易に設置可能にすることができる。
【発明を実施するための最良の形態】
【００１０】
本発明の孵化誘導装置Ａは、図１〜図３に示す如く、受精直後の種卵Ｃが多数積み重なって収納される孵化槽Ｂの内部に、ほぼ一定な速度で移動する水中動体１を配設し、この水中動体１の移動により、孵化槽Ｂ内の種卵Ｃの全てを強制的に動かして、これら種卵Ｃの相対位置を並び替えて夫々の間に新たな給水路Ｗを形成するものである。
以下、本発明の一実施例を図面に基づいて説明する。
【実施例１】
【００１１】
この実施例は、図１〜図３に示す如く、上記水中動体１が上下方向へ延びる棒状に形成した回転軸１ａであり、この回転軸１ａを孵化槽Ｂの上方開口面Ｂ１から挿入して、例えばモーターなどの駆動源２により水平方向を含む横方向へ回転移動させる場合を示すものある。
【００１２】
上記回転軸１ａの外周面には、複数枚の羽根１ｂを周方向へ等間隔毎に突設し、これら羽根１ｂに、種卵Ｃの外径よりも大きな貫通孔１ｃを開口して、駆動体２により回転移動した羽根１ｂが種卵Ｃに接触しても貫通孔１ｃを通過して、無理な力が種卵Ｃに作用しないようにしている。
【００１３】
更に、上記駆動源２は、その駆動速度がコントローラー（図示せず）で調整自在に制御され、必要に応じてタイマー（図示せず）と電気的に接続して、予め設定した日時のみ駆動させるようにしても良い。
そして、この駆動源２を孵化段階で通常作動させる場合の駆動速度は、羽根１ｂの回転速度を例えば毎分５ｃｍ程度又はそれ以下の低速で連続作動させることで、種卵Ｃの動きがゆっくりした連続移動となって種卵Ｃへの影響を最低限度まで抑えようにしている。
【００１４】
図示例では図１に示す如く、孵化槽Ｂの上方開口面Ｂ１に対して、その一方の内側面Ｂ２と平行に水中動体１の回転軸１ａを複数台並べ、隣り合う回転軸１ａの羽根１ｂが互いに嵌り合うように接近させて配置すると共に、これら回転軸１ａを、隣り合う羽根１ｂが互いに逆方向へ回転するように支持し、該上方開口面Ｂ１の他方の内側面Ｂ３と平行に往復動させることにより、孵化槽Ｂの内部を満遍なく掻き回（攪拌）して、種卵Ｃの全てが確実に動くようにしている。
【００１５】
このような作動を実現する機構の一例としては、孵化槽Ｂの長手方向両側に配置された複数のベース３に亘って走行レール４を長手方向へ横架し、この走行レール４に沿ってスライダー５を往復動自在に支持し、このスライダー５に複数台の回転軸１ａを走行レール４と直交する方向へ並べ、これら回転軸１ａを例えば歯車などの伝動部品６で夫々連係すると共に、該伝動部品６と、走行レール４と平行に横架された例えばチェーンやボールねじなどの直線駆動部７と、上記駆動源２とを夫々連係させることにより、駆動体２の駆動で、隣り合う回転軸１ａの羽根１ｂを互いに逆方向へ回転しながら孵化槽Ｂの長手方向へ往復動するようにしている。
【００１６】
また、前記孵化槽Ｂは、図２に示す如く、例えば実用新案登録第２５５１２４２号公報や実開平７−３００４８号公報に開示されるように給水口Ｂ４側から供給された水を、内底面に配置された卵受け網Ｂ５を通って湧昇水流とし、この卵受け網Ｂ５の上に収容された多数の種卵Ｃの間を通って用済みの水が排水口Ｂ６から排水される従来周知構造のものであるが、実用新案登録第２５５１２４２号公報に開示されるような蓋体状の種卵浮遊防止網を配置する必要はない。
【００１７】
次に、斯かる孵化誘導装置Ａの作用効果について説明する。
先ず、上記ベース３をボルトなどの固定手段３ａで、孵化槽Ｂの長手方向両側に取り付け、これらベース３に亘り横架された走行レール４に沿ってスライダー５を往復動可能にセットするだけで、孵化誘導装置Ａの設置が完了する。
【００１８】
一方、受精直後の種卵Ｃは採取されて、孵化槽Ｂ内の卵受け網Ｂ５上に積み重ねて多数（従来から使用されている大きさの孵化槽に対して約５０万個以上）収容され、この卵受け網Ｂ５を通って供給された水が種卵Ｃの間を通って排水口Ｂ６から排水されることにより、孵化前まで養成されるが、これらの種卵Ｃは受精直後からの積算温度が１００℃以上経過すると、奇形な稚魚が孵化する確率及び養魚期の死亡率が低減するため、この頃から孵化誘導装置Ａを作動開始させることが好ましい。
【００１９】
具体的には駆動源２を駆動させると、水中動体１の回転軸１ａがほぼ一定な速度で各羽根１ｂを互いに逆方向へ回転しながら孵化槽Ｂの長手方向へ往復動回転移動して、孵化槽Ｂ内の種卵Ｃの全てが該孵化槽Ｂ内の水と共に掻き回され、その水流で種卵Ｃの全てが強制的に動かされる。
【００２０】
この動きにより、これら種卵Ｃの相対位置を並び替えて各種卵Ｃの間に新たな給水路Ｗが形成され、夫々の給水路Ｗを通って各種卵Ｃに新鮮な水が供給されるため、酸素不足などの原因による卵膜軟化症の発生を抑制できる。
【００２１】
また、このような水中動体１の移動で各種卵Ｃの間に新鮮な水の給水路Ｗが形成されるため、実用新案登録第２５５１２４２号公報に開示されるように、孵化槽Ｂ内への給水量を増大して湧昇水流が勢いよく種卵の間を通過するように強制流水させる必要がなくなる。
【００２２】
その結果、孵化槽Ｂ内への給水量は少なくとも良いから、実用新案登録第２５５１２４２号公報に開示されるように孵化槽Ｂの上方開口面Ｂ１を種卵浮遊防止網で閉止しなくても、排水口Ｂ６に近い上層の種卵Ｃが排水と共に浮遊流出されることがないと共に、給水量が大幅に低減されるから水の確保が困難な場所でも設置できる。
【００２３】
これと同時に、これら種卵Ｃの中に発生した死卵から良卵へ水生菌Ｃ１がカビ状に繁殖しても、上述した水中動体１の移動で種卵Ｃを夫々引き離すことにより、死卵から良卵が強制的に引き離されて、カビ状に繁殖した水生菌Ｃ１が断ち切られ、水生菌Ｃ１の転移が抑制される。
【００２４】
実験の結果によれば、従来の養成環境では、水中に浮遊している水生菌Ｃ１が死卵の回りに付着して発生しカビ状に繁殖して近くの良卵を水生菌Ｃ１の菌糸でボール状に包み込み、良卵への水（酸素）の流れが悪くなり窒息による死卵が増大してソフトボール程度まで大きくなって全滅まで至る場合もあったが、これと同じ環境で薬品による消毒（薬浴）を行わなくても、上述した水中動体１の移動により、ボール状に包み込まれた水生菌Ｃ１の菌糸を細かく破壊して、水生菌Ｃ１の菌糸の繁殖が抑制されたことを確認できた。
【００２５】
ところで、孵化段階の最終作業として、全ての種卵Ｃにショックを与えることにより、優秀な稚魚を得るための人為的な淘汰作業を行うが、この際には、駆動源２のコントローラーを操作するか、又は予め設定されたプラクラムに従って上述した水中動体１の移動速度をスピードアップすれば、全ての種卵Ｃにショックを与えることができ、人為的な淘汰作業の自動化も図れる。
【００２６】
更に本実施例の場合には、駆動源２による回転軸１ａの羽根１ｂの回転速度を低速で連続作動させたため、種卵Ｃの動きがゆっくりとした規則正しい連続運動となって、種卵Ｃへの悪影響が最低限度まで抑えられて奇形の発生を防止できる。
【００２７】
また水中動体１の回転軸１ａを上下方向へ延びる形状に形成し、孵化槽Ｂの上方開口面Ｂ１から挿入して横方向へ移動させる構造としたため、孵化槽Ｂの上面が開口していれば、その上方開口面Ｂ１を利用して水中動体１の後付け設置が簡単にできる。
【００２８】
また更に上記ベース３に設けられたボルトなどの固定手段３ａを外せば、孵化槽Ｂから孵化誘導装置Ａを容易に着脱できるから、他の孵化槽Ｂへの簡単に移し替えができるという利点もある。
【００２９】
尚、前示実施例では、水中動体１の回転軸１ａを孵化槽Ｂの上方開口面Ｂ１から挿入して横方向へ回転移動させ、その作動を実現する機構の一例を図面に示したが、これに限定されず、水中動体１の移動を回転から直線的な往復動に代えたり、水中動体１を横方向へ延びる形状に形成して垂直方向を含む縦方向へ回転又は往復動させるなど、水中動体１の移動で孵化槽Ｂ内の種卵Ｃの全てを強制的に動かせれば、水中動体１の配置方向や作動方向は図示例以外のものであっても良い。
【００３０】
更に、図示例では、水中動体１の回転軸１ａの外周面に４枚の羽根１ｂを突設したが、これに限定されず、孵化槽Ｂの内部を満遍なく掻き回して種卵Ｃの全てを強制的に動かせれば、羽根１ｂの枚枚やそれに開口された貫通孔１ｃの形状及び大きさは図示例以外のものであっても良い。
また図示した水中動体１の作動を実現する機構も限定されず、上述した作動と同様な作動ができれば、他の構造であっても良い。
【図面の簡単な説明】
【００３１】
【図１】本発明の一実施例を示す孵化誘導装置の一部切欠平面図である。
【図２】同縦断側面図である。
【図３】部部的な斜視図である。
【符号の説明】
【００３２】
Ａ  孵化誘導装置                    １  水中動体
１ａ  回転軸                        １ｂ  羽根
１ｃ  貫通孔                        ２  駆動源
３  ベース                          ３ａ  固定手段
４  走行レール                      ５  スライダー
６  伝動部品                        ７  直線駆動部
Ｂ  孵化槽                          Ｂ１  上方開口面
Ｂ２  一方の内側面                  Ｂ３  他方の内側面
Ｂ４  給水口                        Ｂ５  卵受け網
Ｂ６  排水口                        Ｃ  種卵
Ｃ１  水生菌                        Ｗ  給水路
【図１】
2005253314.tif 000003
【図２】
2005253314.tif 000004
【図３】
2005253314.tif 000005